(57)【要約】【課題】積重状態の原稿を分離するための分離パッドが外力により剥れたりすることを防止できる給紙装置を提供する。【解決手段】原稿トレイ１０１上の原稿を搬送路へ送り込む給紙ローラ１０２と、給紙ローラ１０２のローラ面と圧接可能な支持体１０３と、支持体１０３に貼設されてローラ面と圧接する分離パッド１０４とを備えてなり、積重状態に支持された原稿を分離して供給する給紙装置１００において、分離パッド１０４は、その圧接部４０の上流側端部４１及び下流側端部４２が夫々曲折されて支持体１０４の側面３６，３７で固定されたものである。【選択図】　　　図４
2004137020.tif 000002
【特許請求の範囲】
【請求項１】
原稿トレイ上の原稿を搬送路へ送り込む給紙ローラと、該給紙ローラのローラ面と圧接可能な支持体と、該支持体に貼設されてローラ面と圧接する分離パッドとを備えてなり、積重状態に支持された原稿を分離して供給する給紙装置において、
前記分離パッドは、その圧接部の上流側端部及び下流側端部が夫々曲折されて支持体の側面で固定されたものであることを特徴とする給紙装置。
【請求項２】
前記分離パッドの圧接部と支持体との間に弾性変形可能な弾性部材が介設されたものである請求項１に記載の給紙装置。
【請求項３】
原稿トレイ上の原稿を搬送路へ送り込む給紙ローラと、該給紙ローラのローラ面と圧接可能な支持体と、該支持体に貼設されてローラ面と圧接する分離パッドと、該分離パッドの圧接部と支持体との間に介設された弾性変形可能な弾性部材とを備えてなり、積重状態に支持された原稿を分離して供給する給紙装置において、
前記分離パッドは、その圧接部の上流側端部が曲折されて支持体の側面で固定され、且つ下流側端部が前記弾性部材の端部を巻き込むようにして固定されたものであることを特徴とする給紙装置。
【発明の詳細な説明】
【０００１】
【発明の属する技術分野】
本発明は、原稿トレイ上の原稿を搬送路へ送り込む給紙ローラと、該給紙ローラのローラ面と圧接可能な支持体と、該支持体に貼設されてローラ面と圧接する分離パッドとを備え、積重状態に支持された原稿を分離して供給する給紙装置に関にする。
【０００２】
【従来の技術】
スキャナ、ファクシミリ、複写機等においては、複数枚の原稿を順次給紙するオート・ドキュメント・フィーダー（以下「ＡＤＦ」という。）等の給紙装置が装備されているものがあり、該給紙装置によれば、原稿トレイ上に載置された複数枚の原稿を連続的且つ自動的に読取位置へ給紙することができる。このような給紙装置には、積重状態で原稿トレイ上に担持された原稿を１枚づつ分離しながら搬送路へ繰り込むために、図９に示すように、軸９１に駆動力が伝達されて回転する給紙ローラ９２に、支持体９３の上面に配設された分離パッド９４を、該支持体９３を付勢することにより給紙ローラ９２に圧接させた分離機構９０を設け、給紙ローラ９２が圧接して回転することにより搬送路へ送り込まれる原稿に、摩擦や静電気により他の原稿が付着した場合に、給紙ローラ９２と分離パッド９４との圧接部において他の原稿を分離パッド９４の摩擦力で制止することにより原稿が重送されることを防止しているものがある（例えば、特許文献１及び特許文献２参照）。
【０００３】
【特許文献１】
特開平４−２２６２２８号公報
【特許文献２】
特開２００１−９７５８５号公報
【０００４】
【発明が解決しようとする課題】
前記分離パッド９４は最上紙に付随して圧接部に送られ原稿を、その摩擦力により制止するが、最上紙は分離パッド９４より摩擦係数が高い給紙ローラ９２により分離パッド９４と圧接しながら摺動して搬送路ヘ供給される。その際、分離パッド９４には原稿の摺動により原稿供給方向への力が作用する。特に分離パッド９４の圧接部と支持体９３との間にスポンジ等の弾性部材を介設した場合には、該力により弾性部材が変形するとともに分離パッド９４も変形するが、弾性部材が原稿供給方向へ変形すると分離パッド９４の圧接部が撚れたりして所望の摩擦力を発揮できなくなるという問題がある。
【０００５】
また、紙詰まりが発生した場合には、ハウジングのカバー等を開いて、給紙ローラ９２と分離パッド９４との圧接を解放してから詰まった紙を取り除くことが好ましいが、原稿供給時における紙詰まりでは詰まった紙が目視可能なことが多く、使用者が詰まった紙を無理に引き抜く、つまり、給紙ローラ９２と分離パッド９４とが圧接した状態のまま詰まった紙を原稿供給方向と逆方向へ強引に取り除くことがある。これにより、前述より更に大きな力が分離パッド９４に作用し、分離パッド９４が支持体９３や弾性部材から剥れるおそれがある。
【０００６】
本発明は、かかる問題に鑑みてなされたものであり、積重状態の原稿を分離するための分離パッドが外力により剥れたりすることを防止できる給紙装置を提供することを目的とする。
【０００７】
【課題を解決するための手段】
本発明は、原稿トレイ上の原稿を搬送路へ送り込む給紙ローラと、該給紙ローラのローラ面と圧接可能な支持体と、該支持体に貼設されてローラ面と圧接する分離パッドとを備えてなり、積重状態に支持された原稿を分離して供給する給紙装置において、前記分離パッドは、その圧接部の上流側端部及び下流側端部が夫々曲折されて支持体の側面で固定されたものである。
また、本発明は、前記分離パッドの圧接部と支持体との間に弾性変形可能な弾性部材が介設されたものである。
【０００８】
また、本発明は、原稿トレイ上の原稿を搬送路へ送り込む給紙ローラと、該給紙ローラのローラ面と圧接可能な支持体と、該支持体に貼設されてローラ面と圧接する分離パッドと、該分離パッドの圧接部と支持体との間に介設された弾性変形可能な弾性部材とを備えてなり、積重状態に支持された原稿を分離して供給する給紙装置において、前記分離パッドは、その圧接部の上流側端部が曲折されて支持体の側面で固定され、且つ下流側端部が前記弾性部材の端部を巻き込むようにして固定されたものである。
【０００９】
なお、本発明において曲折とは、分離パッドの両端部を圧接面と異なる方向へ曲げることをいい、角が形成されるような折り曲げのみならず、角を形成させずに弧状に折り曲げる所謂湾曲をも含む概念である。また、上流側及び下流側とは、原稿を供給する方向における上流側及び下流側をいう。
【００１０】
【発明の実施の形態】
以下、本発明の実施の形態に係る給紙装置を図面に基づき具体的に説明する。図１は、本発明の実施の形態に係る給紙装置１００を具備するコピー・ファクシミリ複合機１の上部の外観を示す概略斜視図である。図に示すように、該コピー・ファクシミリ複合機１は、読み取るべき原稿を載置するプラテンガラスが配設された読取載置台２と、該原稿をプラテンガラス上に押圧して固定する原稿押さえカバー３と、原稿の読取り開始等を入力するための操作パネル４とを具備してなる。さらに、読取載置台２の下方に、記録用紙に画像を記録する画像記録部、画像を電送するための送信部等を内蔵した本体５と、読み取った画像を記録するための記録用紙を供給する給紙カセット６とを具備している。以下に詳述する給紙装置１００は、原稿押えカバー３内のＡＤＦと一体としてに配設されており、プラテンガラス上の読取位置へ原稿を連続的に繰り込むようになっている。
なお、前記コピー・ファクシミリ複合機１は、本発明に係る給紙装置を具備する機器の一例であり、操作パネル４や給紙カセット６等は任意の構成であることは勿論である。
【００１１】
図２は、前記原稿押えカバー３の縦断面の概略構成を示す概略断面図である。図に示すように、原稿押えカバー３には、原稿を連続的にプラテンガラス上の読取位置へ搬送して排出するＡＤＦが装備されており、本給紙装置１００は、該ＡＤＦの一部として構成されており、給紙装置１００によって搬送路へ繰り込まれた原稿は、搬送ガイド６０に沿って読取位置Ｐに至り、該読取位置Ｐを通過する際に読取ユニット６１により該原稿の画像が読み取られるものとなっている。
【００１２】
前記搬送路は、原稿トレイ１０１から原稿を読取位置へ導く略Ｕ字形状のものであり、原稿トレイ１０１に載置された原稿を下方へ反転しながら読取位置Ｐへ導き、更に原稿トレイ１０１の下方の排紙トレイ６３へ排出するようになっている。即ち、原稿トレイ１０１上に載置された原稿は、原稿トレイ１０１で上側となっている面が下側となって読取ユニット６１に読み取られ、該読取面が下側の状態で排紙トレイ６３に排出される。従って、ＡＤＦにより搬送された読み取り済みの原稿は、原稿トレイ１０１に載置されたページ順で排紙トレイ６３へ排出される。また、搬送路には、原稿を搬送する搬送ローラ６２が適宜配置されている。該搬送ローラ６２は、不図示の給紙モータにより回転されるものであり、搬送路の形状や距離に応じて、搬送ローラの数を適宜増減することは当然可能である。
【００１３】
読取ユニット６１は、読取位置へ光を照射する光源６１０と、原稿からの反射光Ｒを所定の方向へ導くための反射ミラー６１１と、反射光Ｒを収束する集光レンズ６１２と、該収束光を電気信号に変換して出力する電荷結合素子（Ｃｈａｒｇｅ　Ｃｏｕｐｌｅ　Ｄｅｖｉｃｅ、以下「ＣＣＤ」という。）６１３とを備えてなる所謂縮小光学系のＣＣＤ読取ユニットである。このように構成された読取ユニット６１により、搬送路を搬送されている原稿の画像を読取位置Ｐでスキャンし、該原稿からの反射光ＲをＣＣＤ６１３へ導いて結像するものとなっており、電気信号に変換された画像信号は、アナログ／デジタル変換、シェーディング処理等が施された後、プリンタ等の画像記録部により記録用紙に記録され、又はＣＯＤＥＣ等の送信部により電送される。
【００１４】
また、図には示していないが、原稿押えカバー３内には、リードセンサ、ステップモータ等の駆動源、駆動伝達のためのギアやタイミングベルト等が適宜設けられており、給紙装置１００や読取ユニット６１等とともに制御手段により制御される構成となっている。また、前述したＡＤＦの構成は一例にすぎず、前記読取ユニット６１を、原稿が載置されたプラテンガラスの下方を水平方向に移動して画像読取りを行うフラットベッドスキャナと併用したり、ＣＣＤを用いた縮小光学系の読取ユニット６１に代えて所謂密着形イメージセンサ（Ｃｏｎｔａｃｔ　Ｉｍａｇｅ　Ｓｅｎｓｏｒ、以下「ＣＩＳ」という。）を使用することも可能であり、更にＣＣＤ又はＣＩＳを搬送路の対向位置等に夫々配置したり、搬送路に原稿戻し路を設けて原稿の両面読取りを行うことも可能である。
【００１５】
給紙装置１００は、図２及び図３に示すように、原稿トレイ１０１上の原稿を搬送路へ送り込む給紙ローラ１０２と、給紙ローラ１０２のローラ面と圧接可能な支持体１０３と、支持体１０３に貼設されてローラ面と圧接する分離パッド１０４とを備えたものである。
【００１６】
原稿トレイ１０１は、図に示すように、原稿押えカバー３の上部に、原稿を供給する方向へ若干傾斜させて設けられており、その上面において複数枚の原稿を積重状態で担持するようになっている。使用者が原稿トレイ１０１上に原稿を載置する場合には、原稿トレイ１０１の傾斜下端側に原稿の先端を揃えるようにして載置する。なお、図には示していないが、原稿トレイ１０１には、原稿の幅方向の位置を規制して原稿の斜め送りを防止する可変式のガイド部材が設けられている。
【００１７】
原稿トレイ１０１の傾斜下端、即ち下流側には、原稿トレイ１０１の上面と面一となるように原稿ガイド１０が設けられている。該原稿ガイド１０は、原稿トレイ１０１と給紙ローラ１０２との間に配置され、原稿トレイ１０１と同様に傾斜した上面が給紙ローラ１０２の下方まで至った後、給紙ローラ１０２のローラ面へ向かって上方へ湾曲した形状のものであり、原稿トレイ１０１上に載置された原稿が給紙ローラ１０２に当接する角度及び位置を規制している。また、該湾曲部分は、搬送路方向へ傾斜した原稿トレイ１０１上に載置された複数枚の原稿を、搬送路ヘ流れ込むことなく積層状態で貯留することを可能とし、また、原稿を原稿トレイ１０１に載置する際に、図３に示すように、各原稿の先端が該湾曲部分に沿って斜めにずれることにより、例えば密着状態にあった原稿が捌かれて、原稿を最上紙から分離し易くなり重送が防止される。
【００１８】
さらに、原稿ガイド１０の下流側近傍には、ガイドフィルム１１が設けられている。ガイドフィルム１１は、数枚程度の原稿を所定の方向へ案内できる程度の適度な強度を有する一方、一定以上の外力に対して弾性変形可能な薄膜状のものであり、例えばポリプロピレン等の合成樹脂フィルム等を用いることができる。該ガイドフィルム１１は、原稿ガイド１０と原稿押えカバー３のハウジング等との継目部分に原稿が引っ掛かることを防止して、原稿の先端を確実且つ円滑に所定位置へ案内するためのものであり、例えば、分離パッド１０４の取付位置にパッド交換やメンテナンスのための蓋等が設けられている場合に、該蓋等と原稿ガイド１０との隙間を覆うように設けられるが、必ずしも原稿ガイド１０の幅方向全域に設けなくともよい。なお、本実施の形態では原稿トレイ１０１と原稿ガイド１０とは別個のものとして説明したが、原稿トレイ１０１の下流側を原稿ガイド１０と同様に湾曲させることにより、これらを一体のものとして形成することも可能である。
【００１９】
前記原稿ガイド１０の傾斜下流側近傍には、給紙ローラ１０２及び分離パッド１０４が夫々配置されており、原稿トレイ１０１上に載置された複数枚の原稿を１枚づつ分離しながら搬送路ヘ繰り込むようになっている。
【００２０】
給紙ローラ１０２は、搬送路入口の上側部分に配設されて、原稿と圧接しながら回転することにより該原稿を搬送路へ送り込むものであり、例えばシリコンローラ等を用いることができる。さらに、該給紙ローラ１０２の上流側には、原稿トレイ１０１に載置された原稿の最上紙を取り出すためのピックアップローラ２０が配設されている。ピックアップローラ２０も、給紙ローラ１０２と同様に、原稿と圧接しながら回転することにより該原稿を搬送路へ送り込むものであり、不図示の給紙クラッチにより上下方向に揺動する揺動アーム２１に軸支されて、原稿ガイド１０又は原稿トレイ１０１の底面に接離可能となっている。該揺動アーム２１の揺動により、ピックアップローラ２０は、原稿トレイ１０１に原稿を載置する際等の通常の状態では原稿ガイド１０又は原稿トレイ１０１から離されており、原稿繰込み時に原稿の最上紙と接触するように降下し、ピックアップローラ２０及び給紙ローラ１０２が回転することにより、原稿の最上紙が搬送路ヘ送り込まれる。
【００２１】
なお、ピックアップローラ２０は原稿ガイド１０又は原稿トレイ１０１の底面に接触するまで降下可能であるので、原稿枚数により原稿の束の厚さが変化しても常に最上紙と接触可能である。また、給紙ローラ１０２及びピックアップローラ２０は、不図示の給紙モータにより適当なギア等を介して回転されるものであり、また、前記原稿トレイ１０１の原稿の有無は、不図示の原稿セットセンサにより検知され、該検知信号に基づいて画像読取制御部が給紙ローラ１０２、ピックアップローラ２０、及び揺動アーム２１の動作を制御するものとなっている。
【００２２】
一方、前記給紙ローラ１０２の下方には、原稿ガイド１０に開口が設けられて、支持体１０３が該開口から分離パッド１０４が貼設された上面を突出するように配設されている。該分離パッド１０４は、支持体１０３の上面に貼設されて前記給紙ローラ１０２のローラ面と圧接されている。なお、図には詳細に示していないが、分離パッド１０４は給紙ローラ１０２の軸方向全域に設ける必要はなく、最小読取幅から最大読取幅の各種原稿が共通して通過する一部の位置において、原稿を分離可能な摩擦力を奏するように設ければ十分である。
【００２３】
前記支持体１０３は、図４及び図５に示すように、その下部の上流側に水平方向の軸３０が両側方へ突出するように設けられており、該軸３０が原稿押えカバー３のハウジング等に支持されて支持体１０３が回動可能となる。また、支持体１０３の回動先端側とハウジング等との間には支持体１０３を付勢するコイルバネ６４が介設されるが（図２、図３参照）、該コイルバネ６４の上端側が外嵌されるバネ受け部３１が支持体１０３の下面に突設されている。
【００２４】
一方、支持体１０３の上面は上流側より下流側が高くなるように傾斜しており、その上流側端部及び下流側端部に上流側位置決め部３２又は下流側位置決め部３３が夫々形成されており、これにより支持体１０３の上面に設けられる弾性部材３５の原稿供給方向の位置決めがなされている。上流側位置決め部３２は、弾性部材３５の上流端の位置決めを行うものであって、支持体１０３の上面から上方へ突出しており、その突出高さは弾性部材３５の厚みと略同等である。従って、弾性部材３５が支持体１０３の上面に配設された場合に、上流側位置決め部３２の上面と弾性部材３５の上面とが略面一となる。また、上流側位置決め部３２の上流側側面と支持体１０３の上流側の側面３６とも略面一となっており、該上流側の側面と上流側位置決め部３２の上面との隅部は曲面状に成形されている。このように、該隅部を曲面状とし、また、上流側位置決め部３２の上面と弾性部材３５の上面との段差をなくすことにより、その後に貼設される分離パッド１０４の表面に段差や隅部がなくなり、供給される原稿の端部が当接する等の紙詰まりの原因が排除される。下流側位置決め部３３は、弾性部材３５の下流端の位置決めを行うものであって、前記上流側位置決め部３２と同様に、支持体１０３の下流側の側面３７と面一となるように支持体１０３の上面から上方へ突出しているが、その突出高さは弾性部材３５の厚みより低い。
【００２５】
このような上流側位置決め部３２及び下流側位置決め部３３により、弾性部材３５の位置決めがなされる。該弾性部材３５は、スポンジや発泡合成樹脂等の弾性変形が可能なものであり、例えばスポンジのように、給紙される原稿等の厚みに応じて容易に弾性変形するものが好適である。その平面形状は、支持体１０３の上面と同様の矩形であり、厚みは原稿の厚みによる弾性変形の程度を考慮して適宜設定する。
【００２６】
さらに、支持体１０３の側面３７の下部には、水平方向へ突出する突片３８が形成されている。突片３８は、コイルバネ６４により上方向へ付勢された支持体１０３が所定位置から上方へ回動することを規制するためのものであり、図２及び図３に示すように、該突片３８の上面が原稿押えカバー３のハウジングや搬送ガイド６０等と当接可能なように支持体１０３が配設される。
【００２７】
このように構成された支持体１０３により、分離パッド１０４の圧接部４０は、給紙ローラ１０２の下方からローラ面に圧接されており、該圧接部４０を通過する原稿の厚みに応じて下方へ回動可能となっている。分離パッド１０４は、原稿に対する摩擦係数が給紙ローラ１０２の原稿に対する摩擦係数より低く、且つ原稿同士の摩擦係数より高いシート状のものであり、例えばウレタン系樹脂より形成することが可能である。該分離パッド１０４は、図４及び図５に示すように、前記弾性部材３５の上面に貼着されて圧接部４０が形成され、該圧接部４０の上流側端部４１及び下流側端部４２が夫々下方に曲折されて支持体１０３の側面３６，３７で夫々固定されている。
【００２８】
さらに詳細に説明するに、分離パッド１０４の上流側端部４１は、支持体１０３の上流側位置決め部３２の隅部の形状に沿って曲面状に湾曲しながら下方へ曲折され、支持体１０３の上流側の側面３６及び上流側位置決め部３２の側面で貼着されている。一方、分離パッド１０４の下流側端部４２は、支持体１０３の上面に配設された弾性部材３５の下端近傍で下方へ曲折され、支持体１０３の下流側の側面３７及び下流側位置決め部３３の側面で貼着されている。
【００２９】
なお、分離パッド１０４の上流側端部４１及び下流側端部４２は原稿と圧接しないので、接着剤による貼着の他、タッカーや係合爪等の種々の固定方法を採用することが可能である。また、分離パッド１０４の上流側端部４１及び下流側端部４２の各曲げ代は固定方法等を考慮して適宜設定すればよいが、接着剤等で貼着する場合には曲げ代を大きくすることにより原稿供給方向に対する抗力も大きくなる。
【００３０】
図６は前記分離パッド１０４の変形例であるが、分離パッド１０４の下流側端部４２が弾性部材３５の後端を巻き込むようにして固定されている他は前述と同様である。さらに詳細に説明するに、本変形例では、分離パッド１０４の下流側端部４２は、支持体１０３の上面に配設された弾性部材３５の下端に沿って下方へ曲折された後、さらに曲折されて弾性部材３５に下面にまで至ることにより弾性部材３５の下流側の端部を巻き込むものとなっている。このように下流側端部に分離パッド１０４が巻かれた弾性部材３５は、前述と同様に上流側位置決め部３２及び下流側位置決め部３３により位置決めがなされ、分離パッド１０４の上流側端部４１が支持体１０３の上流側の側面３６及び上流側位置決め部３２の側面で貼着されている。一方、分離パッド１０４の下流側端部４２は、弾性部材３５と支持体１０３とによって挟着されるようにして支持体１０３に固定されている。このように分離パッド１０４を固定することとしても、前述した固定方法の分離パッド１０４と同様の効果を奏することができる。
【００３１】
図７は、原稿トレイ１０１上に載置された複数枚の原稿から、給紙ローラ１０２と分離パッド１０４により最上紙の原稿のみが分離されて搬送路へ送り込まれる動作を示したものであるが、前記ピックアップローラ２０により原稿の最上紙が給紙ローラ１０２へ送られる際に、紙の摩擦力や静電気により、その下側の原稿も最上紙に従動して給紙ローラ１０２へ送られることがある。例えば、図７（ａ）に示すように、２枚の紙Ｄ１，Ｄ２が重なるようにして分離パッド１０４の圧接部４０へ送られた場合には、該圧接部４０近傍において上側の紙Ｄ１は給紙ローラ１０２のローラ面と圧接し、下側の紙Ｄ２は分離パッド１０４の圧接部４０と圧接する。紙Ｄ１は給紙ローラ１０２の回転により搬送路へ送り込まれるが、このとき、紙Ｄ２は、紙同士の摩擦力より大きい摩擦係数を有する分離パッド１０４により、先端側が分離パッド１０４の圧接部４０に圧接した状態で、紙の摩擦力や静電気に逆らって制止される。これにより、図７（ｂ）に示すように、紙Ｄ１が単独で圧接部４０を通過して搬送路ヘ送り込まれるが、その際、紙Ｄ１が分離パッド１０４と圧接しても、給紙ローラ１０２の紙に対する摩擦係数は、分離パッド１０４より大きいので、紙Ｄ１は分離パッド１０４の圧接部４０により制止されることなく給紙ローラ１０２の回転に従って搬送路ヘ送り込まれる。
【００３２】
このように、原稿トレイ１０１上で積重状態にある複数枚の原稿の最上紙から１枚づつ搬送路ヘ繰り込まれる際に、紙Ｄ１は分離バッド１０４との摩擦力より大きな力によって分離パッド１０４の圧接部４０と接触しながら搬送路ヘ供給されるので、該圧接部４０には原稿供給方向への摩擦力が作用するが、分離パッド１０４の上流側端部４１は、原稿供給方向と略直交する下方へ曲折されて支持体１０３の上流側の側面３６で固定されているので、該摩擦力により原稿供給方向へずれたりすることなく所定の位置に保持され、また、分離パッド１０４と貼着されている弾性部材３５も支持体１０３の上流側位置決め部３２から離れて原稿供給方向へずれたりすることがない。即ち、分離パッド１０４の上流側端部４１により原稿供給持において原稿供給方向へ生じる摩擦力に対抗して、原稿供給方向への弾性部材３５の変形を防止して分離パッド１０４の圧接部４０の形状を一定に保ち、該圧接部に所望の摩擦力を発揮させることができる。
【００３３】
さらに前記紙Ｄ１が搬送されて、その先端が搬送路の搬送ローラ６２に到達することにより紙Ｄ１は搬送路に案内されて読取位置Ｐへ搬送されるが、その際、図８に示すように、給紙ローラ１０２と分離パッド１０４で圧接されている紙Ｄ１の先端側に斜め下方への搬送力が作用するが、前記弾性部材３５は該搬送力によって弾性変形可能であり、且つ支持体１０３の下流側位置決め部３３の上面は弾性部材３５の厚みより低いので、分離パッド１０４の圧接部４０及び弾性部材３５の下流側は該搬送力に従ってともに弾性変形し、これにより紙Ｄ１は該圧接部４０から搬送路へ円滑に供給される。また、該圧接部４０及び弾性部材３５の下流側がともに弾性変形することによって、該下流側の分離パッド１０４が紙Ｄ１を扱く力を緩和することができ、紙Ｄ１の紙紛の発生等を抑制することができる。
【００３４】
また、図８に示した状態で紙詰まりが発生した場合に、紙Ｄ１の後端側が原稿トレイ１０１に残った状態であれば、紙Ｄ１が目視可能なため使用者が紙Ｄ１を無理に引き抜き、分離パッド１０４の圧接部４０に原稿供給方向と逆方向へ大きな引抜力が作用するが、分離パッド１０４の下流側端部４２は、原稿供給方向と略直交する下方へ曲折されて支持体１０３の下流側の側面３７で固定されているので、該引抜力により支持体１０３や弾性部材３５から剥れたりすることなく所定の位置に保持される。
【００３５】
なお、前記実施の形態では本給紙装置１００が装備されたコピー・ファクシミリ複合機１を例に説明したが、本発明に係る給紙装置が、スキャナ等の他の装置にも適用できることは当然である。また、本実施の形態で示した給紙装置１００の構成は本発明に係る給紙装置の具体的構成態様の一例であり、本発明の要旨を変更しない範囲内で種々の変更が可能であり、例えば、給紙ローラ１０２及びピックアップローラ２０と分離パッド１０４との上下位置を逆にして、原稿トレイ１０１上の原稿の最下紙から順次繰り込むようにすること等が可能である。
【００３６】
【発明の効果】
このように、本発明に係る給紙装置によれば、支持体に貼設されてローラ面と圧接する分離パッドを、その圧接部の上流側端部及び下流側端部が夫々曲折されて支持体の側面で固定されたもの、又は、上流側端部が曲折されて支持体の側面で固定され、且つ下流側端部が前記弾性部材の端部を巻き込むようにして固定されたものとしたので、原稿供給の際の摩擦力に対抗して分離パッドの圧接部の変形を防止することができる。従って、分離パッドの圧接部の形状が安定し、該分離パッドに所望の摩擦力を安定して発揮させることができる。また、詰まった紙が無理に引き抜かれた際の引抜力により分離パッドが支持体や弾性部材等から剥れたりすることを防止できる。
【図面の簡単な説明】
【図１】コピー・ファクシミリ複合機１の外観を示す概略斜視図である。
【図２】原稿押えカバー３の内部構造を示す概略縦断面図である。
【図３】給紙装置１００付近の主要な構成を示す拡大縦断面図である。
【図４】支持体１０３及び分離パッド１０４の外観構成を示す斜視図である。
【図５】図４のＩ−Ｉ断面図である。
【図６】分離パッド１０４の固定方法の変形例を示す断面図である。
【図７】給紙装置１００により複数枚の原稿から最上紙が分離される状態を示す図である。
【図８】原稿を斜め下方の搬送力が作用した状態を示す図である。
【図９】従来の分離機構９０の主要構成を示す概略斜視図である。
【符号の説明】
１００　給紙装置
１０１　原稿トレイ
１０２　給紙ローラ
１０３　支持体
１０４　分離パッド
３５　弾性部材
３６，３７　側面
４０　圧接部
４１　上流側端部
４２　下流側端部
【図１】
2004137020.tif 000003
【図２】
2004137020.tif 000004
【図３】
2004137020.tif 000005
【図４】
2004137020.tif 000006
【図５】
2004137020.tif 000007
【図６】
2004137020.tif 000008
【図７】
2004137020.tif 000009
【図８】
2004137020.tif 000010
【図９】
2004137020.tif 000011